(57)【要約】【課題】ワイヤハーネス幹線の固定作業性の向上、および各分岐点でのワイヤハーネス幹線の形状安定化（寸法精度改善）を図ったワイヤハーネスシステムを提供する。  【解決手段】ワイヤハーネスシステムは、ワイヤハーネス幹線１０を介して供給される電源を分配し、ワイヤハーネス支線２１，２２，２３，２４を介して電装品に供給する複数の電源ボックス３１〜３４を備える。電源ボックス３１〜３４が、インストルメントパネル４０内部に配置されるワイヤハーネス幹線１０の分岐点ａ〜ｄにそれぞれ搭載されている。各電源ボックス３１〜３４間を接続するワイヤハーネス幹線１１〜１５の長さが予め決まる。予め決まる長さを有しかつ端部にコネクタを取り付けたワイヤハーネス幹線１１〜１５を用意しておく。ワイヤハーネスの組み付け時には、各ワイヤハーネス幹線１１〜１５を各電源ボックス３１〜３４にコネクタ接続して取り付ければよい。【選択図】図１
2008284981.tif 000002
【特許請求の範囲】
【請求項１】
ワイヤハーネス幹線を介して供給される電源を分配し、ワイヤハーネス支線を介して電装品に供給する複数の電源ボックスを備え、
前記電源ボックスが前記ワイヤハーネス幹線の分岐点にそれぞれ搭載されていることを特徴とするワイヤハーネスシステム。
【請求項２】
前記複数の電源ボックスが、前記電源ボックスを介して互いに接続された１本のワイヤハーネス幹線を介して縦接続されていることを特徴とする請求項１に記載のワイヤハーネスシステム。
【請求項３】
前記複数の電源ボックスが、インストルメントパネル内部に配置される前記ワイヤハーネス幹線の分岐点に搭載されていることを特徴とする請求項１に記載のワイヤハーネスシステム。
【請求項４】
前記複数の電源ボックスがインストルメントパネル内部に配置され車体側に固定されたリーンホース上に搭載されており、前記電源ボックス間を接続する前記ワイヤハーネス幹線が前記リーンホース上に配索されていることを特徴とする請求項１乃至３のいずれか一つに記載のワイヤハーネスシステム。
【請求項５】
前記電源ボックスは、前記ワイヤハーネス幹線の分岐点として、インストルメントパネルの助手席部へ分岐する第１分岐点、センタークラスタパネル左側部へ分岐する第２分岐点、センタークラスタパネル右側部へ分岐する第３分岐点、および前記インストルメントパネルのステアリング部へ分岐する第４分岐点にそれぞれ配置されていることを特徴とする請求項１乃至４のいずれか一つに記載のワイヤハーネスシステム。
【請求項６】
前記電源ボックス間に配策する前記ワイヤハーネス幹線と、前記電源ボックスと電装品間に配策する前記ワイヤハーネス支線と、車両制御系及び安全系システムの信号情報が入出力される電装品間に配策するワイヤハーネス重要線とが、それぞれ別個に配策されていることを特徴とする請求項１乃至５のいずれか一つに記載のワイヤハーネスシステム。
【請求項７】
前記電源ボックスは、前記ワイヤハーネス幹線と接続するための幹線用コネクタ収容部と、前記ワイヤハーネス支線と接続するための支線用コネクタ収容部と、前記ワイヤハーネス重要線をスルーさせる重要線スルー経路と、を備えることを特徴とする請求項６に記載のワイヤハーネスシステム。
【請求項８】
前記重要線スルー経路は、前記電源ボックスのロアーケース側面にそれぞれ形成された複数の切り欠き部と、前記ロアーケース内部に形成され、前記複数の切り欠き部内を通る前記ワイヤハーネス重要線を案内する複数の補強用リブとを有することを特徴とする請求項７に記載のワイヤハーネスシステム。
【発明の詳細な説明】
【技術分野】
【０００１】
本発明は、自動車等の車両のワイヤハーネスシステムに関する。
【背景技術】
【０００２】
従来、車両用ワイヤハーネスとして、例えば特許文献１に記載された技術がある。この従来技術では、電装品単位の内部回路を備える複数のジャンクションボックス間にワイヤハーネス幹線を配線し、ジャンクションボックスと電装品間にワイヤハーネス支線を配線している。
【特許文献１】特許第２９２９９６２号公報
【発明の開示】
【発明が解決しようとする課題】
【０００３】
ところで、上記従来技術では、ワイヤハーネス製造上の難作業である分岐点でのワイヤハーネス幹線のテーピング作業が残り、分岐点でのワイヤハーネス幹線の固定作業性やワイヤハーネス幹線の寸法精度が悪化する恐れがある。
【０００４】
本発明は、このような従来の問題点に鑑みて為されたもので、その目的は、ワイヤハーネス幹線の固定作業性の向上、および各分岐点でのワイヤハーネス幹線の形状安定化（寸法精度改善）を図ったワイヤハーネスシステムを提供することにある。
【課題を解決するための手段】
【０００５】
上記課題を解決するために、本発明の第一の態様に係るワイヤハーネスシステムは、ワイヤハーネス幹線を介して供給される電源を分配し、ワイヤハーネス支線を介して電装品に供給する複数の電源ボックスを備え、前記電源ボックスが前記ワイヤハーネス幹線の分岐点にそれぞれ搭載されていることを特徴とする。
【０００６】
この態様によれば、各電源ボックスをワイヤハーネス幹線の分岐点に搭載することで、各電源ボックス間を接続するワイヤハーネス幹線の長さが予め決まる。このため、予め決まる長さを有しかつ端部にコネクタを取り付けたワイヤハーネス幹線を用意しておき、ワイヤハーネスの組み付け時には、各ワイヤハーネス幹線を各電源ボックスにコネクタ接続して取り付ければよい。これにより、各分岐点でのワイヤハーネス幹線のテーピング作業を廃止できるので、ワイヤハーネス幹線の固定作業性が向上し、その固定作業の工数削減による低コスト化が図れる。また、各分岐点でのワイヤハーネス幹線の形状安定化（寸法精度改善）が図れる。さらに、各電源ボックスの搭載位置が予め決められていることから、各電源ボックスと電装品とを接続するワイヤハーネス支線の長さを精度良く配索でき、電装品の搭載設計も容易になる。
【０００７】
本発明の他の態様に係るワイヤハーネスシステムは、前記複数の電源ボックスが、前記電源ボックスを介して互いに接続された１本のワイヤハーネス幹線を介して縦接続されていることを特徴とする。
この態様によれば、簡素化された構成で、見栄えの良いワイヤハーネスシステムが得られる。
【０００８】
本発明の他の態様に係るワイヤハーネスシステムは、前記複数の電源ボックスが、インストルメントパネル内部に配置される前記ワイヤハーネス幹線の分岐点に搭載されていることを特徴とする。
【０００９】
この態様によれば、複数の電源ボックスおよびワイヤハーネス幹線が水の浸入による影響を受けにくい。これにより、信頼性の高いインストルメントパネル・ワイヤハーネスシステムが得られる。
【００１０】
本発明の他の態様に係るワイヤハーネスシステムは、前記複数の電源ボックスがインストルメントパネル内部に配置され車体側に固定されたリーンホース上に搭載されており、前記電源ボックス間を接続する前記ワイヤハーネス幹線が前記リーンホース上に配索されていることを特徴とする。
【００１１】
この態様によれば、各分岐点までのワイヤハーネス幹線の長さを最短にすることができるので、ワイヤハーネス幹線の軽量化及びコストダウンが図れる。
【００１２】
本発明の他の態様に係るワイヤハーネスシステムは、前記電源ボックスは、前記ワイヤハーネス幹線の分岐点として、インストルメントパネルの助手席部へ分岐する第１分岐点）、センタークラスタパネル左側部へ分岐する第２分岐点、センタークラスタパネル右側部へ分岐する第３分岐点、および前記インストルメントパネルのステアリング部へ分岐する第４分岐点にそれぞれ配置されていることを特徴とする。
【００１３】
この態様によれば、センタークラスタパネルやこのセンタークラスタパネルが取り付けられるインストルメントパネル内に搭載される電装品と各電源ボックスとを接続するワイヤハーネス支線の長さを精度良く配索でき、センタークラスタパネル内およびインストルメントパネル内の電装品の搭載設計が容易になる。
【００１４】
本発明の他の態様に係るワイヤハーネスシステムは、前記電源ボックス間に配策する前記ワイヤハーネス幹線と、前記電源ボックスと電装品間に配策する前記ワイヤハーネス支線と、車両制御系及び安全系システムの信号情報が入出力される電装品間に配策するワイヤハーネス重要線とが、それぞれ別個に配策されていることを特徴とする。
【００１５】
この態様によれば、車両制御系や安全系システムの信頼性及び故障率を従来と同等に維持しつつ、ボディ系システムの組付け性が向上する。ここで、安全系システムの重要信号情報は、例えば、エアバックシステムのエアバックセンサ信号やインフレータ信号等である。
【００１６】
本発明の他の態様に係るワイヤハーネスシステムは、前記電源ボックスは、前記ワイヤハーネス幹線と接続するための幹線用コネクタ収容部と、前記ワイヤハーネス支線と接続するための支線用コネクタ収容部と、前記ワイヤハーネス重要線をスルーさせる重要線スルー経路と、を備えることを特徴とする。
【００１７】
この態様によれば、ワイヤハーネス重要線の接続不良が無くなるので、車両制御系や安全系システムの信頼性が向上する。また、電源ボックスがワイヤハーネス重要線をスルーさせる重要線スルー経路を備えることで、電源ボックスに余計な接続コネクタを設ける必要が無く、電源ボックスの小型化を図れる。
【００１８】
本発明の他の態様に係るワイヤハーネスシステムは、前記重要線スルー経路は、前記電源ボックスのロアーケース側面にそれぞれ形成された複数の切り欠き部と、前記ロアーケース内部に形成され、前記複数の切り欠き部内を通る前記ワイヤハーネス重要線を案内する複数の補強用リブとを有することを特徴とする。
【００１９】
この態様によれば、車両の振動により電源ボックス内でワイヤハーネス重要線が動くのが抑制されると共に、ワイヤハーネス重要線の電源ボックスへの組み付けが容易になる。
【発明の効果】
【００２０】
本発明によれば、ワイヤハーネス幹線の固定作業性の向上、および各分岐点でのワイヤハーネス幹線の形状安定化（寸法精度改善）を図ることができる。
【発明を実施するための最良の形態】
【００２１】
次に、本発明を具体化した各実施形態を図面に基づいて説明する。なお、各実施形態の説明において同様の部位には同一の符号を付して重複した説明を省略する。
【００２２】
（第１実施形態）
第１実施形態に係るワイヤハーネスシステムを図１に基づいて説明する。
図１は車両のインストルメントパネル内部に配置したワイヤハーネスシステムの概略配置図である。
【００２３】
第１実施形態に係るワイヤハーネスシステムは、図１に示すように、ワイヤハーネス幹線１０を介して供給される電源を分配し、ワイヤハーネス支線２１，２２，２３，２４を介して電装品（図示省略）に供給する複数の電源ボックス３１，３２，３３，３４を備えている。
【００２４】
電源ボックス３１〜３４がワイヤハーネス幹線１０の分岐点ａ〜ｄにそれぞれ搭載されている。
つまり、ワイヤハーネス幹線１０の分岐点ａでは、電源ボックス３１に、第１ワイヤハーネス幹線１１と第２ワイヤハーネス幹線１２が図示しないコネクタを介して接続されている。
【００２５】
ワイヤハーネス幹線１０の分岐点ｂでは、電源ボックス３２に、第２ワイヤハーネス幹線１２と第３ワイヤハーネス幹線１３が図示しないコネクタを介して接続されている。
【００２６】
ワイヤハーネス幹線１０の分岐点ｃでは、電源ボックス３３に、第３ワイヤハーネス幹線１３と第４ワイヤハーネス幹線１４が図示しないコネクタを介して接続されている。
【００２７】
そして、ワイヤハーネス幹線１０の分岐点ｄでは、電源ボックス３４に、第４ワイヤハーネス幹線１４と第５ワイヤハーネス幹線１５が図示しないコネクタを介して接続されている。
【００２８】
このように、本実施形態に係るワイヤハーネスシステムでは、複数の電源ボックス３１〜３４が、各電源ボックス３１〜３４を介して互いに接続された１本のワイヤハーネス幹線１０を介して縦接続されている。
【００２９】
また、このワイヤハーネスシステムでは、複数の電源ボックス３１〜３４が、インストルメントパネル４０内部に配置されるワイヤハーネス幹線１０の分岐点ａ〜ｄに搭載されている。
【００３０】
各電源ボックス３１〜３４は、ワイヤハーネス幹線１１のコネクタ１１ａと接続される第二電源ボックス（図示省略）から供給される電源、或いはワイヤハーネス幹線１５のコネクタ１５ａと接続される第二電源ボックス（図示省略）から供給される電源を、複数のワイヤハーネス支線２１〜２４を介して電装品にそれぞれ分配する第三電源ボックスである。それらの第二電源ボックスは、車両に搭載されたバッテリ（図示省略）とメイン電源線（図示省略）を介して接続された第一電源ボックス（図示省略）に別のワイヤハーネス幹線で接続されている。
【００３１】
図１において、符号「４１」はインストルメントパネル４０に取り付けられたセンタークラスタパネル、符号「４２」はインストルメントパネル４０の助手席部、符号「４３」はインストルメントパネルのステアリング部である。
【００３２】
また、図１に示すように、複数の電源ボックス３１〜３４が、インストルメントパネル４０内部に配置され車体側に固定されたリーンホース４５上に搭載されており、各電源ボックス３１〜３４間を接続するワイヤハーネス幹線１１〜１５がリーンホース５０上に配索されている。リーンホース５０は、ブラケット５１，５２，５３等の複数の取付部材を介して車体側に固定されている。
【００３３】
また、電源ボックス３１〜３４は、助手席部４２へ分岐するワイヤハーネス幹線１０の第１分岐点である分岐点a、センタークラスタパネル４１の左側部へ分岐する第２分岐点である分岐点ｂ、センタークラスタパネル４１の右側部へ分岐する第３分岐点である分岐点c、およびステアリング部４３へ分岐する第４分岐点である分岐点dにそれぞれ配置されている。
【００３４】
そして、各電源ボックス３１〜３４は、ワイヤハーネス支線２１〜２４を介して、各ワイヤハーネス支線２１〜２４のコネクタ２１ａ〜２４ａにそれぞれ接続され、助手席部４２、センタークラスタパネル４１の左側部、その右側部、およびステアリング部４３内にそれぞれ搭載された各種の電装品と電気的に接続されている。
【００３５】
なお、各ワイヤハーネス幹線１１〜１５は、複数本の電源線と、車両制御系及び安全系システムの信号情報が入出力される電装品間に配策するワイヤハーネス重要線６１等をテープ７０で結束した構成になっている。
【００３６】
以上のように構成された第１実施形態によれば、以下の作用効果を奏する。
○各電源ボックス３１〜３４をワイヤハーネス幹線１０の分岐点ａ〜ｄにそれぞれ搭載することで、各電源ボックス３１〜３４間を接続するワイヤハーネス幹線１１〜１５の長さが予め決まる。このため、予め決まる長さを有しかつ端部にコネクタを取り付けたワイヤハーネス幹線１１〜１５を用意しておく。このとき、各ワイヤハーネス幹線１１〜１５は、複数本の電源線と複数本のワイヤハーネス重要線６１，６２等をテープ７０で結束しておく。そして、ワイヤハーネスの組み付け時には、各ワイヤハーネス幹線１１〜１５を各電源ボックス３１〜３４にコネクタ接続して取り付ければよい。これにより、各分岐点ａ〜ｄでのワイヤハーネス幹線１１〜１５のテーピング作業を廃止できるので、ワイヤハーネス幹線１１〜１５の固定作業性が向上し、その固定作業の工数削減による低コスト化が図れる。
【００３７】
○各分岐点ａ〜ｄでのワイヤハーネス幹線１１〜１５の形状安定化（寸法精度改善）が図れる。
【００３８】
○各電源ボックス３１〜３４の搭載位置が予め決められていることから、各電源ボックス３１〜３４と電装品とを接続する各ワイヤハーネス支線２１〜２４の長さを精度良く配索でき、電装品の搭載設計も容易になる。
【００３９】
○複数の電源ボックス３１〜３４が、各電源ボックス３１〜３４を介して互いに接続された１本のワイヤハーネス幹線１０を介して縦接続されているので、簡素化された構成で、見栄えの良いワイヤハーネスシステムが得られる。
【００４０】
○複数の電源ボックス３１〜３４が、インストルメントパネル４０内部に配置されるワイヤハーネス幹線１０の分岐点ａ〜ｄに搭載されているので、複数の電源ボックス３１〜３４および複数のワイヤハーネス幹線１１〜１５が水の浸入による影響を受けにくい。これにより、信頼性の高いインストルメントパネル・ワイヤハーネスシステムが得られる。
【００４１】
○電源ボックス３１〜３４がインストルメントパネル４０内部のリーンホース４５上に搭載され、ワイヤハーネス幹線１１〜１５がリーンホース５０上に配索されている構成により、各分岐点ａ〜ｄまでの各ワイヤハーネス幹線１１〜１５の長さを最短にすることができるので、ワイヤハーネス幹線の軽量化及びコストダウンが図れる。
【００４２】
○電源ボックス３１〜３４は、助手席部４２へ分岐するワイヤハーネス幹線１０の分岐点a、センタークラスタパネル４１の左側部へ分岐する分岐点ｂ、その右側部へ分岐する分岐点c、およびステアリング部４３へ分岐する分岐点dにそれぞれ配置されている。この構成により、センタークラスタパネル４１やこのセンタークラスタパネル４１が取り付けられるインストルメントパネル４０内に搭載される電装品と各電源ボックス３１〜３４とを接続する各ワイヤハーネス支線２１〜２４の長さを精度良く配索でき、センタークラスタパネル４１内およびインストルメントパネル４０内の電装品の搭載設計が容易になる。
【００４３】
（第２実施形態）
次に、第２実施形態に係るワイヤハーネスシステムを図２に基づいて説明する。
このワイヤハーネスシステムの特徴は、上記第１実施形態において、各電源ボックス３１〜３４間に配策する各ワイヤハーネス幹線１１〜１５と、各電源ボックス３１〜３４と電装品間に配策する各ワイヤハーネス支線２１〜２４と、車両制御系及び安全系システムの信号情報が入出力される電装品間に配策するワイヤハーネス重要線６０とが、それぞれ別個に配策されている構成にある。
【００４４】
ここで、「別個に」とは、「独立して」という意味である。このように配索することで、各ワイヤハーネス幹線１１〜１５には、ボディ系システムに接続される複数本の電源線や信号線が結束された構成になる。また、ワイヤハーネス重要線６０は、例えば、各ワイヤハーネス幹線上やリーンホース５０上にテープ巻き等により固定されることになる。なお、ボディ系システムの電装品としては、例えば、ドアミラー装置、パワーウィンドウ装置、ワイパー、灯火装置等が含まれる。
【００４５】
また、車両制御系システムはエンジン等の電子制御システム等を意味し、安全系システムはエアバックシステム等を意味する。
【００４６】
ワイヤハーネス重要線６０は、例えば、エアバックシステムのエアバックセンサ信号やインフレータ信号等を伝送するための信号線である。ワイヤハーネス重要線６０は、例えば、加速度センサーに接続されたコネクタ６０ａと、衝突判定の演算処理を行うエアバッグECU（電子制御ユニット）に接続されるコネクタ６０ｂと、インフレータに接続されたコネクタ６０ｃとを備えている。その他の構成は上記第１実施形態と同様である。
【００４７】
以上のように構成された第２実施形態によれば、上記第１実施形態の奏する作用効果に加えて以下の作用効果を奏する。
【００４８】
○ワイヤハーネス幹線１１〜１５と、ワイヤハーネス支線２１〜２４と、ワイヤハーネス重要線６０とを別個に配策することで、車両制御系や安全系システムの信頼性及び故障率を従来と同等に維持しつつ、ボディ系システムの組付け性が向上する。
【００４９】
（第３実施形態）
次に、第３実施形態に係るワイヤハーネスシステムを図３に基づいて説明する。
このワイヤハーネスシステムの特徴は、上記第２実施形態において、上記電源ボックス３１〜３４のうち、例えば、電源ボックス３１〜３３が以下の構成を有する点にある。なお、図３では電源ボックス３１〜３３を代表して電源ボックス３２のみを示している。
【００５０】
・電源ボックス３２は、ワイヤハーネス幹線１２，１３と接続するための幹線用コネクタ収容部８１と、ワイヤハーネス支線２２と接続するための支線用コネクタ収容部８２と、ワイヤハーネス重要線６０をスルーさせる重要線スルー経路と、を備えている。なお、図３では、電源ボックス３２に接続されるワイヤハーネス幹線１２，１３のうち、ワイヤハーネス幹線１２のみを示してある。
【００５１】
・電源ボックス３２は、アッパーケース９１と、ロアーケース９２と、これら両ケース９１，９２内に収容される電子制御ユニット９３とを備えている。
【００５２】
・アッパーケース９１には、幹線用コネクタ収容部８１と、支線用コネクタ収容部８２と、複数のヒューズ８３を収容する複数のヒューズ収容部８４とが形成されている。
【００５３】
・電子制御ユニット９３の回路基板８５には、ワイヤハーネス幹線１２，１３やワイヤハーネス支線２２の各端末に接続された複数の端子がそれぞれ直接接続する複数のスルーホール８６が形成されている。
【００５４】
・回路基板８５上には、各種の電子部品８７や電源切替リレー８８等が実装されている。
【００５５】
・ワイヤハーネス重要線６０をスルーさせる重要線スルー経路は、ロアーケース９２に形成されている。この重要線スルー経路は、ロアーケース９２の３つの側面にそれぞれ形成された切り欠き部９２ａと、ロアーケース９２内部に形成され、３つの切り欠き部９２ａ内を通るワイヤハーネス重要線６０を案内する複数（本例では３つ）の補強用リブ９２ｂとを有する。
【００５６】
以上のように構成された第３実施形態によれば、上記第２実施形態の奏する作用効果に加えて、以下の作用効果を奏する。
【００５７】
○電源ボックス３２はワイヤハーネス重要線６０をスルーさせる重要線スルー経路を備えているので、ワイヤハーネス重要線６０の接続不良が無くなる。このため、車両制御系や安全系システムの信頼性が向上する。他の電源ボックス３１，３３についても同様のことが言える。
【００５８】
○電源ボックス３２がワイヤハーネス重要線６０をスルーさせる重要線スルー経路を備えることで、電源ボックス３２に余計な接続コネクタを設ける必要が無く、電源ボックス３２の小型化を図れる。他の電源ボックス３１，３３についても同様のことが言える。
【００５９】
○重要線スルー経路が、ロアーケース９２の３つの側面にそれぞれ形成された切り欠き部９２ａと、ロアーケース９２内部に形成され、３つの切り欠き部９２ａ内を通るワイヤハーネス重要線６０を案内する複数の補強用リブ９２ｂとを有する。この構成により、車両の振動により電源ボックス３２内でワイヤハーネス重要線６０が動くのが抑制されると共に、ワイヤハーネス重要線６０の電源ボックス３２への組み付けが容易になる。他の電源ボックス３１，３３についても同様のことが言える。
【００６０】
なお、この発明は以下のように変更して具体化することもできる。
・上記各実施形態において、インストルメントパネル内部に配置されるワイヤハーネスシステムを一例として説明したが、本発明は、車両のエンジンルーム内、車室内の一方の側部、或いは車室内の両側部等に配置されるワイヤハーネスシステムにも適用可能である。つまり、本発明は、インストルメントパネル内部に配置されるワイヤハーネスシステムに適用するのが最も好ましいが、インストルメントパネル内部や、車室内の両側部や、エンジンルーム内等、他の場所に配置したワイヤハーネスシステムにも適用可能である。
【００６１】
・上記第１実施形態では、電源ボックス３１〜３４が車体側に固定されたリーンホース５０上に搭載され、電源ボックス３１〜３４間を接続するワイヤハーネス幹線１１〜１５がリーンホース５０上に配索されている構成を一例として説明したが、本発明はこのような構成に限定されない。本発明は、ワイヤハーネス幹線を介して供給される電源を分配し、ワイヤハーネス支線を介して電装品に供給する複数の電源ボックスを備え、電源ボックスがワイヤハーネス幹線の分岐点にそれぞれ搭載されたワイヤハーネスシステムに広く適用可能である。
【図面の簡単な説明】
【００６２】
【図１】本発明の第１実施形態に係るワイヤハーネスシステムの概略構成を示す斜視図。
【図２】本発明の第２実施形態に係るワイヤハーネスシステムの概略構成を示す斜視図。
【図３】本発明の第３実施形態に係るワイヤハーネスシステムに用いる電源ボックスの概略構成を示す分解斜視図。
【符号の説明】
【００６３】
１０〜１５・・・ワイヤハーネス幹線
２１〜２４・・・ワイヤハーネス支線
３１〜３４・・・電源ボックス
４０・・・インストルメントパネル
４１・・・センタークラスタパネル
４２・・・インストルメントパネルの助手席部
４３・・・インストルメントパネルのステアリング部
５０・・・リーンホース
６０・・・ワイヤハーネス重要線
８１・・・幹線用コネクタ収容部
８２・・・支線用コネクタ収容部
９２・・・ロアーケース
９２ａ・・・切り欠き部９
９２ｂ・・・補強用リブ９２ｂ
ａ〜ｄ・・・分岐点
【図１】
2008284981.tif 000003
【図２】
2008284981.tif 000004
【図３】
2008284981.tif 000005